(57)【要約】【目的】リヤフェンダ下面のマフラー近傍に貼った断熱シートの高圧洗車時における剥離を防止する。【構成】樹脂製後輪フェンダ７の下面でマフラー５の近傍にアルミ製断熱シート１０を接着する。断熱シート１０の受圧端面１３に沿って水圧低減部１４を後輪フェンダ７の下面から一体に下方へリブ状に突出形成し、受圧端面１３を覆う。水圧低減部１４は受圧端面１３へ高圧水流１２が直接かからないように水圧を弱め、断熱シート１０における端部からの剥がれを防止する。【選択図】図３
2006347515.tif 000002
【特許請求の範囲】
【請求項１】
車体に設けられる車体側部材のうち車体外方へ向く部分にシート状部材を貼り付けた車両において、
前記シート状部材周囲の端面に沿って、貼付面よりも高く外方へ突出する水圧低減部を設け、この水圧低減部によって前記端面にかかる高圧水流の水圧を弱めさせたことを特徴とする貼付シートの剥がれ防止構造。
【請求項２】
前記端面は、高圧洗車するとき高圧水流がかかる部分のうち、前記高圧水流側の受圧端面であって、前記高圧洗車のときに受圧する端面であることを特徴とする請求項１に記載された貼付シートの剥がれ防止構造。
【請求項３】
前記シート状部材が金属製であり、前記車体側部材が樹脂製であることを特徴とする請求項１に記載された貼付シートの剥がれ防止構造。
【請求項４】
前記シート状部材がマフラーの近傍に貼り付けられている断熱シートであり、前記車体側部材が樹脂製のリヤフェンダであることを特徴とする請求項３に記載された貼付シートの剥がれ防止構造。
【請求項５】
前記水圧低減部が、前記車体側部材と一体に突出形成されたリブ状部であることを特徴とする請求項１に記載された貼付シートの剥がれ防止構造。
【発明の詳細な説明】
【技術分野】
【０００１】
この発明は、車体カバー等の車体側部材へ貼付される断熱シート等に対する剥がれ防止構造に関する。
【背景技術】
【０００２】
車体カバーのマフラー近傍部にアルミ製等の断熱シートを貼付し、乗員側部分に対して断熱するものは公知である。
【特許文献１】特開昭６０−５２３３７号公報
【発明の開示】
【発明が解決しようとする課題】
【０００３】
ところで、断熱シートを貼り付けた状態で車体外方から高圧洗車すると、断熱シートにおける高圧水流側の端面（受圧端面という）へ高圧水流が噴射されることにより、受圧端面部分から水圧で剥がれてしまうことがある。特に、樹脂と金属との接着におけるような、比較的接着力が弱くなる材料の組合せ時にはこのような剥がれを考慮することが望まれる。また、荒れ地を走行するオフロード系の自動２輪車やバギー車などでは、車体の汚れが激しいため高圧洗車する機会が多いので、やはり効果的な剥がれ防止が望まれている。本願発明は、このような要請の実現を目的とする。
【課題を解決するための手段】
【０００４】
上記課題を解決するため本願における貼付シートの剥がれ防止構造に係る請求項１は、車体に設けられる車体側部材のうち車体外方へ向く部分にシート状部材を貼り付けた車両において、
前記シート状部材周囲の端面に沿って、貼付面よりも高く外方へ突出する水圧低減部を設け、この水圧低減部によって前記端面にかかる高圧水流の水圧を弱めさせたことを特徴とする。
【０００５】
請求項２は上記請求項１において、前記端面は、高圧洗車するとき高圧水流がかかる部分のうち、前記高圧水流側となる受圧端面であって、前記高圧洗車のときに受圧する端面であることを特徴とする。
【０００６】
請求項３は上記請求項１において、前記シート状部材が金属製であり、前記車体側部材が樹脂製であることを特徴とする。
【０００７】
請求項４は上記請求項３において、前記シート状部材がマフラーの近傍に貼り付けられている断熱シートであり、前記車体側部材が樹脂製のリヤフェンダであることを特徴とする。
【０００８】
請求項５は上記請求項１において、前記水圧低減部が、前記車体側部材と一体に突出形成されたリブ状部であることを特徴とする。
【発明の効果】
【０００９】
請求項１によれば、シート状部材の端面に沿って、貼付面よりも高く外方へ突出する水圧低減部を設けたので、この端面にかかる高圧水流は水圧低減部により水圧を弱められ、かつ端面へ直接かかることを阻止される。このため高圧水流が車体へかかっても、シート状部材が端部から剥がれにくくなる。
【００１０】
請求項２によれば、水圧低減部に沿うシート状部材の上記端面を、高圧洗車するとき高圧水流の水圧を受ける受圧端面に沿って水圧低減部を設けたので、高圧洗車時の高圧水流は水圧低減部で水圧を弱められて受圧端面へかかる。このため高圧洗車しても、シート状部材が受圧端面から剥がれにくくなる。
【００１１】
請求項３によれば、金属製シート状部材と樹脂製車体側部材からなる、本来接着力の弱い組合せであっても、金属製シートを効果的に剥がれにくくすることができる。
【００１２】
請求項４によれば、金属製シート状部材は、マフラー近傍に設けられる断熱シートであり、比較的汚れやすい樹脂製のリヤフェンダへ貼り付けられ、高圧洗車の機会が多いにもかからず、この断熱シートの高圧洗車における剥がれ防止が可能になる。
【００１３】
請求項５によれば、水圧低減部を、車体側部材と一体に突出形成されたリブ状部としたので、水圧低減部を容易に形成できる。
【発明を実施するための最良の形態】
【００１４】
以下、図面に基づいて一実施形態を説明する。図１は実施例にかかる４輪バギー車の側面図である。このバギー車は、車体の前後に前輪１及び後輪２を左右一対で設けてある。車体中央にはエンジン３が設けられ、ここから排気管４が後方へ延び、後輪２の側方へ重なる位置に配置されたマフラー５へ接続している。
【００１５】
前輪１とする後輪２の各上方は前輪フェンダ６及び後輪フェンダ７でそれぞれ覆われ、エンジン３の上方にはタンクカバー８で覆われ、その内部に燃料タンク（本図では見えない）が配置されている。燃料タンクの後方にはシート９が配置されている。各車体カバーは適宜樹脂により成形されている。
【００１６】
図２は車体を後方から示した図であり、シート９の左右に後輪フェンダ７が車体の左右側方へ張り出し、それぞれは左右の後輪２の各上方を覆う。車体左側の後輪フェンダ７の下方かつ近傍部で、車体左側の後輪２の内側となる空間内にマフラー５が配置されている。マフラー５はエンジンの運転中は排気ガスにより比較的高温になる。
【００１７】
図３は図１の３−３線断面であり、後輪フェンダ７の下面でマフラー５の上方から内方にかけて断熱シート１０が接着により貼り付けられている。この断熱シート１０が接着される部分は、車体側部材である後輪フェンダ７の車体外方へ向く部分である。断熱シート１０はアルミシート等の適宜金属製のものである。断熱シート１０の貼り付け場所は、高圧洗車時の水流が直接かかる部分でもある。また、水流が直接かかるとは、高圧洗車時に高圧噴射ノズル１１から噴射された高圧水流１２が途中で障害物等により水圧を減少されることなく噴射対象へ達することをいう。
【００１８】
断熱シート１０周囲部分を形成する端面のうち、高圧水流１２に向かう側である受圧端面１３の近傍かつ車体外方側には、水圧低減部１４が設けられている。水圧低減部１４は受圧端面１３に沿って凸条をなして延びるように後輪フェンダ７の下面へ一体に突出形成されリブ状部分である。その断面形状は略山形をなし、図中の拡大部に示すように、断熱シート１０側の略垂直な内側立て壁１５と、テーパー状の外側傾斜壁１６を有する。
【００１９】
水圧低減部１４は、後輪フェンダ下面における断熱シート１０の貼付面７ａと同じ高さで断熱シート１０の外方に広がる一般面７ｂからＨなる高さで突出している。その突出高さＨは、断熱シート１０の肉厚ｔと同程度もしくはそれよりも大きくすることが好ましい。本実施例では水圧低減部１４が若干高くなって いる（Ｈ＞ｔ）。
【００２０】
水圧低減部１４は、高圧水流１２が受圧端面１３へ直接かからないようにして、受圧端面１３に対する水圧を低減するためのものである。したがって受圧端面１３は内側立て壁１５へ密接させて、水圧が全くかからないようにしてもよいが、高圧水流１５が直接かからない程度の若干の間隙を設けてもよい（図示状態）。密接させた場合には貼り付け時の位置決めとしても役立ち、離した場合には貼付作業を効率化する。
【００２１】
次に、本実施例の作用を説明する。荒れ地走行により、図３に示すように、後輪フェンダ７の下面に泥等の汚れ１７が大量に付着すると、これを落とすために車体外方から高圧噴射ノズル１１を用いて高圧洗車する。
【００２２】
この高圧洗車により、高圧水流１２は、後輪フェンダ７の下面へ向かって車体外方側から噴射され、高圧水流によって汚れ１７を流す。このとき、断熱シート１０へも高圧水流１２がかかるが、拡大部に示すように、受圧端面１３へ向かう高圧水流１２は、水圧低減部１４が障害物となり、ここへ当たった高圧水流１２は水圧が減少し、かつ外側傾斜壁１６に沿って流れることにより、受圧端面１３を迂回する。
【００２３】
このため、受圧端面１３に対して、高圧水流１２の水圧が弱められ、かつ水圧が直接かからなくなる。したがって、受圧端面１３は、高圧洗車時の水圧によって本来は最も剥がれやすい部分であるにもかかわらず、このような剥がれが生じにくくなる。
【００２４】
特に、アルミシートのような金属製の断熱シート１０を樹脂製の後輪フェンダ７へ貼り付けるとき、比較的接着力が弱い素材の組合せであるにもかかわらず高圧洗車の水圧に耐えて剥がれを防止できる。しかも、断熱シート１０は荒れ地走行等によって、最も汚れやすい部分に設けられ、高圧洗車される機会が多いにもかかわらず、長期間にわたって強力な接着を維持できる。そのうえ、水圧低減部１４は後輪フェンダ７と一体に形成されるリブ状部であるから、形成が容易であり、かつ外観性を損なうことなく自由に形成できる。
【００２５】
なお、本願発明は上記実施例に限定されず種々に変形や応用が可能である。
例えば、水圧低減部１５は、必ずしも一般面７ｂから突出するものだけではなく、逆に貼付面７ａ側を一般面７ｂより低くしてシート貼り付け用の段差部を設けることにより、貼付面７ａより相対的に高くなった一般面７ｂそのものとしてもよい。
【００２６】
また、断熱シート１０に代えて各種のシート状部材が使用可能である。このシート状部材は、平板状をなして接着されるものであれば、用途、形状及び素材を問わない。すなわち、宣伝用ステッカー等の各種情報表示用のものやカラーリング等の用途であってもよい。さらに一般的にシート状と称される範囲の厚さよりもさらに薄いフィルム状のもや、逆により厚い板状のものでもよい。素材は金属製や樹脂製のいずれもが可能である。
【００２７】
水圧低減部１５を設ける対象となる車体側部材は、後輪フェンダ７のみならず、前輪フェンダ６やタンクカバー８並びに、その他の各種用途や名称の車体カバーを含む。また、ボディーカバー以外でもゼッケンプレートなどの外観部材がある。すなわち、車体側部材は、高圧洗車されるとき高圧水流が直接かかる車体外装部材であればいずれも可能である。また、対象車両は、バギー車に限らず、オンロード又はオフロード用自動２輪車等の種々の用途のものに適するが、特に汚れが付きやすいオフロード系車両が好適である。
【００２８】
シート状部材を貼り付け位置及び水圧低減部１５を設ける位置は、対象となる車体側部材に応じて自由に決めることができる。また、水圧低減部１５は、車体側部材と一体に設けても別体に設けてもよく、別体の場合はその素材を車体側部材と自由に異ならせることができる。
【００２９】
さらに、剥がれを生じる原因となる高圧水流は、必ずしも高圧洗車時の高圧水流でなくともよく、跳ね上げ水などのようなある程度の高圧となるものであればよい。この場合におけるシート状部材の端面は高圧水流の水圧を受圧する部分であればよい。
【図面の簡単な説明】
【００３０】
【図１】実施例に係る車体の側面図
【図２】上記車体を後方から示す図
【図３】図１の３−３線拡大断面図
【符号の説明】
【００３１】
１：前輪、２：後輪、３：エンジン、５：マフラー、６：前輪フェンダ、７：後輪フェンダ、１０：断熱シート、１２：高圧水流、１３：受圧端面、１４：水圧低減部
【図１】
2006347515.tif 000003
【図２】
2006347515.tif 000004
【図３】
2006347515.tif 000005